(57)【特許請求の範囲】
【請求項１】
ネットワークを用いたＬＮＧタンクレベル監視システムであって、
記憶部を有するデータベースサーバと、
ネットワークを介して専用Ｗｅｂページをクライアント端末へ送信し、前記専用Ｗｅｂページから入力されたタンクレベル、出荷量、発電量、消費可能量に関するいずれかの情報を電子メールの本文中に所定の形式で記述し、前記電子メールを自動で固定の電子メールアドレスに送信するメールホスティング機能を有し、かつ前記データベースサーバにて作成されたＬＮＧタンクレベルの目標値達成シミュレーション結果を保持するＷｅｂサーバと、
前記電子メールを受信して、前記データベースサーバの記憶部に保持されている情報を更新するために前記電子メールの本文中から抽出された情報のデータ形式を変換する支援サーバと、
を備え、
前記データベースサーバは、前記変換された情報にて記憶部に保持されている情報を更新し、前記記憶部の情報に基づいた前記ＬＮＧタンクレベルの目標値達成シミュレーション結果を作成することを特徴とするＬＮＧタンクレベル監視システム。
【請求項２】
前記ＬＮＧタンクレベルの目標値達成シミュレーション結果には、現在および過去のタンクレベル情報およびＬＮＧの使用見込み情報と目標タンクレベル到達日から使用予測曲線が表示される請求項１に記載のＬＮＧタンクレベル監視システム。
【請求項３】
前記データベースサーバが、前記記憶部の情報から発熱量シミュレーション結果を作成する請求項１に記載のタンクレベル監視システム。
【請求項４】
ネットワークを用いたＬＮＧタンクレベル監視方法であって、
クライアント端末がネットワーク資源上の専用Ｗｅｂページにアクセスし、前記クライアント端末から前記専用Ｗｅｂページへ入力されたタンクレベル、出荷量、発電量、消費可能量に関するいずれかの情報を電子メールの本文中に所定の形式で記述し、メールホスティング機能により前記電子メールを自動で固定の電子メールアドレスに送信するステップと、
前記電子メールを受信して、前記電子メールの本文中から抽出された情報を所定の形式に変換するステップと、
前記入力されたタンクレベル、前記出荷量、前記発電量、前記消費可能量の情報をＬＮＧタンクレベル管理情報として保持するステップと、
前記ＬＮＧタンクレベル管理情報からＬＮＧタンクレベルの目標値達成シミュレーションを行うステップと、
を含むＬＮＧタンクレベル監視方法。
【請求項５】
前記ＬＮＧタンクレベルの目標値達成シミュレーション結果には、現在および過去のタンクレベル情報およびＬＮＧの使用見込み情報と目標タンクレベル到達日から使用予測曲線が表示されるステップを含む請求項４に記載のＬＮＧタンクレベル監視方法。
【請求項６】
前記ＬＮＧタンクレベル管理情報から発熱量シミュレーションを行うステップを含む請求項４に記載のＬＮＧタンクレベル監視方法。
【請求項７】
ネットワークを用いたＬＮＧタンクレベル監視のためのコンピュータ・プログラムであって、
クライアント端末がネットワーク資源上の専用Ｗｅｂページにアクセスし、前記クライアント端末から前記専用Ｗｅｂページへ入力されたタンクレベル、出荷量、発電量、消費可能量に関するいずれかの情報を電子メールの本文中に所定の形式で記述し、メールホスティング機能により前記電子メールを自動で固定の電子メールアドレスに送信するステップと、
前記電子メールを受信して、前記電子メールの本文中から抽出された情報を所定の形式に変換するステップと、
前記入力されたタンクレベル、前記出荷量、前記発電量、前記消費可能量の情報をＬＮＧタンクレベル管理情報として保持するステップと、
前記ＬＮＧタンクレベル管理情報からＬＮＧタンクレベルの目標値達成シミュレーションを行うステップと、
をコンピュータに実行させるコンピュータ・プログラム。
【発明の詳細な説明】
【技術分野】
【０００１】
本発明は、ネットワークを用いたＬＮＧ（Ｌｉｑｕｅｆｉｅｄ  Ｎａｔｕｒａｌ  Ｇａｓ）タンクレベル監視システムに関する。
【背景技術】
【０００２】
従来、発電所等に設置されるＬＮＧタンクは、ＬＮＧ契約担当が決定する年間受入計画に従い次回受入までにＬＮＧ受入可能レベルまで下げる必要があった。一方、ＬＮＧの消費については、発電所の発電量（消費量）を調整する電力会社の部署とＬＮＧを販売する会社間で調整しながら、ＬＮＧ基地を運用する会社が運用可能レベル内にコントロールしている。現状、タンクの容量および消費能力に余裕がないため、運用が厳しい状況のであると共に、多岐にわたる会社及び会社内の部署の調整が必要であった。また、販売するＬＮＧは発熱量の制約があり、発熱量も管理する必要があった。
【０００３】
タンクレベルを監視する方法として、例えば、特許文献１には、排水再利用施設における中水造水及び上水補給システムの技術が記載されている。特許文献２には、地下水開発施設における地下水管理システムが記載されている。
【特許文献１】特開平６−３３４９１号公報
【特許文献２】特開２００６−２２１４０２号公報
【発明の開示】
【発明が解決しようとする課題】
【０００４】
特許文献１、２に記載された発明の場合、いずれも過去のデータ等を基に水位を予測し管理する技術が記載されているが、複数個所にて共同で水が使用され、過去データを複数個所から収集すること、およびそれらを共有することが考慮されておらず、また、そのデータを基に水位の経過の情報を得ることができないという課題がある。また、ＬＮＧは常温では気体であり、水とは性質が異なる点を考慮しなければならないし、さらには、燃料発熱量の問題も考慮に入れなければならないという課題もある。
【０００５】
そこで、本発明は上記課題に鑑み、ネットワークを用いＬＮＧの特徴を考慮したタンクレベル監視システムとその監視方法を提供することを目的とする。
【課題を解決するための手段】
【０００６】
本発明の１つの態様では、ネットワークを用いたＬＮＧタンクレベル監視システムを提供する。ＬＮＧタンクレベル監視システムは、Ｗｅｂサーバと、支援サーバと、データベースサーバ（以下、簡略化のためデータベースをＤＢとする。）の３つのサーバから構成される。Ｗｅｂサーバとは、ＨＴＭＬ文書や画像等の情報を蓄積しておき、Ｗｅｂブラウザ等のクライアントソフトウェアの要求に応じて、インターネット等のネットワークを通じて、これらの情報を送信するサーバである。
【０００７】
Ｗｅｂサーバは、ネットワークを介して専用Ｗｅｂページ（以下、簡略化のためページとする）をクライアント端末へ送信し、前記ページから入力されたタンクレベル、出荷量、発電量、消費可能量の情報を電子メールの本文中に所定の形式で記述し、前記電子メールを自動で固定の電子メールアドレスに送信するメールホスティング機能を有し、かつデータベースサーバにて作成されたＬＮＧタンクレベルのシミュレーション結果を保持する。ここで、ＬＮＧタンクレベル監視システムでは複数のページが使用され、これらはページのトップページからリンクされる。支援サーバは、前記電子メールを受信して、前記ＤＢサーバの記憶部に保持されている情報を更新するために前記電子メールの本文中から抽出された情報のデータ形式を変換するサーバである。ＤＢサーバは、前記変換された情報にて記憶部に保持されている情報を更新し、前記記憶部の情報に基づいた前記ＬＮＧタンクレベルの目標値達成シミュレーション結果を作成するサーバである。
【０００８】
ここで、「メールホスティング機能」とは、ページにおいて問い合わせ等を行う時に固定したメールアドレスに向けてメールを送信することである。また、「目標値」とは、ＬＮＧの次回受入時までに到達すべき、タンクのＬＮＧの受入可能レベル値であり、「受入可能レベル」とは、ＬＮＧタンカーが運んでくる全ての量をタンクに受入可能なことをいう。さらに、「タンクレベル」とは、タンク内の底辺からの液位をいう。
【０００９】
また、本発明はさらに別の態様として、コンピュータを利用したＬＮＧ監視システム方法、あるいは、コンピュータにおいて実行されるコンピュータ・プログラムとしても提供できる。
【発明の効果】
【００１０】
本発明によれば、ネットワーク上にてＬＮＧのタンクレベルの情報を共有することで関係者が共通の認識を持つことができる。また、情報を入力し、目標値達成シミュレーションを行うことで、関係者間の調整が容易になる。さらに、その情報に基づいてタンクレベルおよびＬＮＧの発熱量のシミュレーションを行うことにより、確実な対応を行うことが可能となり、顧客への安定供給を実現することができる。
【発明を実施するための最良の形態】
【００１１】
以下、本発明の実施形態について図面を参照しながら説明する。図１は、本発明を適用した情報共有システム１の一実施形態の構成を示す図である。端末２００−１、２００−２・・・２００―ｎ（以下、端末２００−１から２００―ｎを区別する必要がない場合は、単にクライアント端末とする）は、ユーザ側のクライアント端末であり、インターネットやイントラネットに代表されるネットワーク３００と接続され、Ｗｅｂサーバ１００、支援サーバ１１０、ＤＢサーバ１２０と送受信が行えるようになっている。ユーザはクライアント端末にて操作を行い、ネットワーク３００を介して、Ｗｅｂサーバ１００、支援サーバ１１０、ＤＢサーバ１２０等にて処理を行なわせることができる。ただし、クライアント端末はＷｅｂサーバ１００を介して支援サーバ１１０とＤＢサーバ１２０に接続する。なお、本構成における各サーバは必ずしも１台とは限らず、複数台で構成されてもよい。
【００１２】
図２は、本発明の一実施形態における情報共有支援システム１のクライアント端末とサーバの基本システム構成図を示す図である。Ｗｅｂサーバ１００はメール送信部１０１、ページ受信部１０２、ページ送信部１０３、認証部１０４、ページＤＢ１０５を有する。また、支援サーバ１１０は、メール受信部１１１、メール解析部１１２、データ送信部１１３を有する。さらに、ＤＢサーバ１２０は、ＤＢ更新部１２１、ページ作成部１２２、受入支援ＤＢ１２３を有する。受入支援ＤＢ１２３は記憶部の一例である。なお、記憶部はハード・ディスクに限らず、メモリ、磁気テープやフレキシブル・ディスク等の外部記憶装置でもよい。
【００１３】
メール送信部１０１はページに入力された情報をメール本文に記述し、予め定められた固定のメールアドレスに送信する。ページ受信部１０２は、ＤＢサーバ１２０にて作成されたページをＤＢサーバ１２０から受け取り、ページＤＢ１０５に格納する。クライアント端末からページ表示の要求があると、ページＤＢ１０５に格納されたページはページ送信部１０３を介して、クライアント端末のユーザに提供される。ページに対してＩＤとパスワードによりアクセス制御を行う場合には、認証部１０４にてＩＤに対するパスワードが正しいか確認が行われる。メール受信部１１１はメール送信部１０１にて送信されたメールを受け取る。受け取ったメールはメール解析部１１２にてＤＢサーバ１２０の情報を更新できる形式、例えば、データをカンマ「，」で区切って並べたＣＳＶ形式に変換され、その情報はデータ送信部１１３からＤＢサーバ１２０へ送信される。ＤＢ更新部１２１は、支援サーバ１１０にて作成された情報にて受入支援ＤＢ１２３を更新する。ページ作成部１２２は、受入支援ＤＢ１２３が更新されると、更新された情報についてのページを作成し、Ｗｅｂサーバ１００へ送信する。
【００１４】
受入支援ＤＢ１２３はページ毎に表形式で情報を格納している。表には、行と列、そして情報を入れるフィールドが存在する。表の例としては米Ｍｉｃｒｏｓｏｆｔ社のＭｉｃｒｏｓｏｆｔ  Ｅｘｃｅｌ（登録商標、以下簡略化のためＥｘｃｅｌとする）が挙げられる。表の情報の「登録、更新、削除」は、常に情報を上書きすることで実現する。詳細については後述する。
【００１５】
図３は、情報共有システムの処理フローを示す図である。以下、図３の処理フローを、図４、図５の画面例を参照しながら説明する。Ｗｅｂサーバ１００からクライアント端末へ送られた専用ページに情報が入力され、送信ボタンが押されると処理が開始する。図４は、情報を入力するページの表示例を示す図である。ページ上には受入支援ＤＢ１２３にページに対応する表に現在登録されているデータが表示される。ページ上の情報を変更する場合には、情報を変更した後に送信ボタンを押下する。ページ上に表示されている情報を全て削除したい場合にはクリアボタンを押下する。
【００１６】
図４を用いて情報の「登録、更新、削除」について説明する。図４は、情報を入力するページの表示例を示す図である。このページの表示例では、新規情報を追加する場合には、登録者氏名、登録者メールアドレス、会社名、役職、名前等を所定の欄に入力する。更新する場合には、ページに表示されている情報の内容を修正する。削除する場合は、削除する情報をページ上から削除する、または、他の情報で上書きする。ページ上の情報入力欄は位置情報を有している。例えば、会社名の一番上は１−１、役職名の一番上は２−１、役職名の２番目は２−２のように示される。この位置情報は、受入支援ＤＢ１２３の本ページと対応する表の位置情報と一致している。送信ボタンが押された後、ページに表示されている情報とその情報が入力された欄の位置情報をメールホスティング機能が指定する所定の形式でメール送信部１０１がメール本文中に記述し、固定のメールアドレスに送信する（図３のステップＳ１）。所定の形式については後述する。メールアドレスはページに設定しても、メール送信部１０１に設定してもよい。登録者メールアドレスには、固定アドレスに入力された情報が送信されたことが通知される。
【００１７】
図５は、メール送信部１０１にて作成されるメール例を示す図である。ここでは、図４に示したページにて表示されている情報が送信された場合について説明する。宛先には、ページ上に指定されている固定アドレスが入力される。メールの題名やメールの差出人から情報を送信するページを特定できるようにしておく。ページに入力された情報は所定の形式に変換される。所定の形式とは、使用するメール送信プログラムに依存する。例えば、図５に示すように項目に対応する情報を配列する方法がある。メールに記述する際に会社名はＣＯＭＰＡＮＹ、役職はＯＦＦＩＣＩＡＬＴＩＴＬＥのように英字名に変換する。「ＣＯＭＰＡＮＹ＝１−１，○×会社」、「ＯＦＦＩＣＩＡＬＴＩＴＬＥ＝１−２，担当」のように、ページ上部の項目名と、入力された情報およびその位置情報をイコールにて結びつけて、１行ずつに記述する。また、別の例として、会社名からＥ−ｍａｉｌまでの１行を全て繋げる方法もある。この場合、「（１）＝１−１，○×会社，１−２，担当，・・・，１−ｎ，ａｂｃ＠ｘｘｘｘ．ｃｏ．ｊｐ」を１行ずつに記述する。
【００１８】
支援サーバ１１０にて受信したメールは、メール受信部１１１からメール解析部１１２に渡され、情報の編集が行われる（図３のステップＳ２）。情報の編集とは、受入支援ＤＢ１２３を更新するためにメール本文中に記載された情報を所定の形式に変更することをいう。所定の形式には、ＣＳＶ（Ｃｏｍｍａ  Ｓｅｐａｒａｔｅｄ  Ｖａｌｕｅｓ）形式等がある。ＣＳＶ形式とは、いくつかのフィールド（項目）をカンマ「，」で区切ったテキストデータおよびテキストファイルである。ＣＳＶ形式を拡張し、「，」だけでなく「％」、「：」等の入力される情報に使用しない文字や、空白等にて区切ったテキストデータおよびテキストファイルでもよい。また、メールの題名や送信元アドレスから受入支援ＤＢ１２３のどの表を更新するかの情報を合わせて取得する。ＣＳＶ形式等に編集された情報は、データ送信部１１３からＤＢ更新部１２１へ渡される（図３のステップＳ３）。
【００１９】
ステップＳ３にて渡された情報にて、情報が入力されたページに対応した受入支援ＤＢ１２３の表が更新される。「登録、更新、削除」された情報について、位置情報に基づいて表の情報を上書きする（図３のステップＳ４）。ただし、ＣＳＶファイルと表の同じ位置情報の情報を比較し、内容が異なる位置の情報のみを上書きする。ステップＳ４にて変更された表からページを作成する（図３のステップＳ５）。ページの作成方法には既存の方法を用いる。表がＥｘｃｅｌ（登録商標）で作成されていた場合には「．ｈｔｍ」または「．ｈｔｍｌ」形式で表を保存することにより作成することができる。作成されたページはＷｅｂサーバ１００へ送られ（図３のステップＳ６）、ページＤＢ１０５に格納される（図３のステップＳ７）。この時、同じ名前のページが存在する場合には新しいページで上書きする。図６は、ページＤＢ１０５に格納されたページがクライアント端末に表示された図を示す。図４に示したページにて入力された情報がページとして表示される。
【００２０】
このように、ネットワーク上において複数のページから構成されるサイトを共有することにより、関係者間で容易に情報共有をすることができる。しかしながら、ネットワーク上における情報共有においては関係者以外にも情報が見えてしまう問題点がある。そこで、サイト内のページへのアクセスを制限するために、ＩＤとパスワードを設定する。トップページにＩＤとパスワードでアクセス制限を行うと、サイト内全てに対するアクセス制御が可能である。また、ページ毎にＩＤとパスワードを設定することで、ページ毎にアクセス制御を行うことができる。なお、アクセス制御には変更可能や閲覧のみといった様々な種類の制御がある。
【００２１】
以下、本発明のタンクレベル監視システムの実施例について図を参照しながら説明する。
【００２２】
タンクレベル管理システムのネットワーク構成およびシステム構成は情報共有システムと同様である。ページＤＢ１０５には、タンクレベル管理システムの専用サイトのトップページ、基地、ＬＮＧＧＡＳ販売、ＬＮＧ液販売、発電所１号機、発電所３号機、発電所トータル、燃料、それぞれのページが保持されている。受入支援ＤＢ１２３には、基地、ＬＮＧＧＡＳ販売、ＬＮＧ液販売、発電所１号機、発電所３号機、発電所トータル、燃料のページに対応する情報を保持する表がそれぞれ保持されている。
【００２３】
図７は、タンクレベル管理システムのサイトのトップページを示す図である。トップページには、現時点までに入力された燃料の使用量とそれに基づいてシミュレーションにより求められた今後のタンクレベル推移を示すグラフが表示される。シミュレーション方法については後述する。また、グラフ上には図８、図９、図１０に示す表も合わせて表示される。図８は、タンクのＬＮＧ受入時までの目標到達最低・最大液位や前回の実績の表を示す図であり、図９は、各ページが更新された日時の表を示す図である。また、図１０は、グラフが作成された最終実績日から次回受入日までの関係各所の使用可能量の表を示す図である。これらが表示されることにより、各ページへ遷移せずに使用頻度の高い情報を取得することができる。また、各ページにアクセス制限がされている場合に、アクセスできないページの情報も見ることができる。
【００２４】
今後のタンクレベル推移をグラフ化して表示することで数値情報として推移を表示する場合に比べ容易に理解することが可能である。ただし、グラフの数値データも必要とされることがあるため、グラフの数値データを有するページにＤａｔａ表示ボタンから遷移することができる。図１１は、グラフの数値データを表示するページを示した図である。トップページ上部にあるＤａｔａ表示を除いた基地等の７つのボタンを押下し、シミュレーションを行うのに必要なデータをそれぞれ入力する。ボタンを押下することにより、それぞれの画面に対応した表に遷移する。本実施例において、複数の関係する組織がデータを持ち寄り、全体の運用を把握している。そのため、組織毎に入力すべきデータが異なること、利便性および情報の安全性の観点から情報ファイルは組織毎に分かれている。以下にそれぞれのボタンを押下することにより遷移するページおよび表について説明する。
【００２５】
図１２は、基地を管理している会社の担当者が有しているタンク内のＬＮＧの液位を日別に表示するページを示す図である。本例で表はＥｘｃｅｌ（登録商標）で作成されているが、数値データの集計、分析に用いられる表計算ソフトであればＥｘｃｅｌ（登録商標）でなくてもよい。以下に説明する各ページについても同様である。タンク内のＬＮＧの液位はｍｍ（ミリメートル）にて表される。新たな情報を入力する場合は、右上のＤａｔａ送信を押下し、データ送信ページを表示する。
【００２６】
図１３は、タンクレベルの情報を送信するためのページを示す図である。このページのタンクレベル欄に更新した図１２の情報を貼り付け、送信ボタンを押下する。この時、合わせてＬＮＧの密度を送信する。
【００２７】
図１４は、日別に各社がＬＮＧ気化ガス（以下、簡略化のため気化ガスと呼ぶ）として出荷するＬＮＧの見込み出荷量を表示するページを示す図である。各社の気化ガスの見込み出荷量、気化ガス見込み出荷量の合計、以下に説明するＬＮＧ液化ガス（以下、簡略化のため液化ガスとする）としての出荷するＬＮＧの見込み出荷量、および液化ガスと気化ガスの見込み出荷量合計も合わせて表示される。新たな情報を入力する場合は、右上のＤａｔａ送信を押下し、データ送信ページを表示する。
【００２８】
図１５は、各社の気化ガスの見込み出荷量を送信するためのページを示す図である。このページの出荷量欄に更新した図１４の情報を貼り付け、送信ボタンを押下する。ただし、合計量は各社の見込み出荷量または後述する液化ガスの見込み出荷量が入力されると自動で計算され、表示される。
【００２９】
図１６は、日別に各社が液化ガスとして出荷するＬＮＧの見込み出荷量を表示するページを示す図である。表示項目は、図１４に示す気化ガスの場合とほぼ同じである。ただし、液化ガスのページには気化ガスの見込み出荷量と気化ガスとを合わせたＬＮＧ見込み出荷量の合計が表示されない。新たな情報を入力する場合は、右上のＤａｔａ送信を押下し、データ送信ページを表示する。データ送信ページは気化ガスの場合と同様であり、図１５に示される。情報の入力も同様である。
【００３０】
図１７は、日別に発電所の炉の発電量および使用燃料量を表示しているページを示す図である。ただし、発電量および使用燃料量は見込みである。発電量および使用燃料だけでなく、シミュレーションを行う際に必要となる情報、複数炉の並列時間、起動損失、平均電力が表示される。また、他の炉の使用燃料量を表示し、それと合わせて発電における使用燃料の合計量を合わせて表示する。新たな情報を入力する場合は、右上のＤａｔａ送信を押下し、データ送信ページを表示する。
【００３１】
図１８は、発電量の情報を送信するためのページを示す図である。このページの発電量欄に更新した図１７の情報を貼り付け、送信ボタンを押下する。ただし、使用燃料、使用燃料合計量は発電量が入力されると自動で計算され、表示される。なお、並列時間は任意項目である。
【００３２】
図１９は、発電所へガスを供給する低圧系統と高圧系統の２系統によるガスの供給量を日別に表示しているページを示す図である。ただし、ガスの供給量は見込みである。発電所へのガスの供給系統は低圧系統と高圧系統の２系統であり、低圧系統の最大供給量を３号最大、また、低圧系統の最小供給量を２号（低圧最低）として表示する。さらに、高圧系統の最大供給量を１号最大、最小供給量を１号最小として表示する。
【００３３】
これらの低圧および高圧系統の最大最小供給量を用いて、図７に示すグラフに、現在のタンクレベルから次回受入までの運用可能範囲を描く。詳細には、運用最大液位を低圧系統および高圧系統の最大消費量、つまり、図１９の表における３号最大および１号最大の数値から算出し、グラフを描画する。このようにして描画された運用最大液位の推移は、図７の破線で示される。また、運用最低液位を低圧系統および高圧系統の最小消費量、つまり図１９の表における２号および１号最低の数値から算出し、グラフを描画する。このようにして描画された運用最小液位の推移は、図７の一点鎖線で示される。図７の最大液位の破線と最小液位の一点鎖線にて囲まれた範囲が次回ＬＮＧ受入までの運用可能範囲である。
【００３４】
図２０は、消費可能量の情報を送信するためのページを示す図である。消費可能量とは３号最大、２号、１号最大、１号最低の供給量を意味する。このページの消費可能量欄に更新した図１９の情報を貼り付け、送信ボタンを押下する。
【００３５】
図２１は、発電所における発電量から使用燃料を計算する場合等に使用する係数を表示しているページを示す図である。このページに記載されている数値を用いて、発電量から使用燃料量を算出したり、シミュレーションの目標到達日の設定の変更を行ったりすることができる。数値を変更する場合は、右上のＤａｔａ送信を押下し、データ送信ページを表示する。
【００３６】
図２２は、シミュレーションに用いる係数を変更するためのページを示す図である。変更したい項目に係数を入力し、送信ボタンを押下すると図２１に表示されるページの係数が変更され、新たな係数でシミュレーションが行われる。
【００３７】
ここで、タンクレベルのシミュレーションについて説明する。前述の図１２にて入力表示されるタンクレベルを元にタンク内の液量が算出されるので、それより関係各所が想定して入力している払出量から基地の払出予定量を算出する。払出量とは発電所における燃料使用量と販売されるＬＮＧの出荷見込み量を合わせたものである。毎日一定の時間のタンクレベルのデータからタンク内の液量を求め、日々の払出予定量を差し引くことで日々のタンク内の液量を想定する。その液量をタンクテーブルから逆算することで日々のタンクレベルを求めることができ、これをプロットすることで、タンクレベルのシミュレーションを行う。
【００３８】
また、発熱量シミュレーションについて説明する。発熱量シミュレーションはタンク内に貯蔵しているＬＮＧの組成を想定して演算する。ＬＮＧはメタンが主成分であり、液体状態では−１６２℃であるため、外部からの入熱により常時蒸発している。この時、主に蒸発するのはメタンであり、この外部からの入熱により蒸発したメタンを差し引いたものがタンク内のＬＮＧの組成である。このようにして求められたＬＮＧの組成と払出ＬＮＧ量から発熱量のシミュレーションを行う。
【００３９】
以上、本発明を実施形態に則して説明したが、本発明は上述した実施形態に限るものではない。また、本発明の実施形態に記載された効果は、本発明から生じる最も好適な効果を列挙したに過ぎず、本発明による効果は、本発明の実施形態または実施例に記載されたものに限定されるものではない。
【図面の簡単な説明】
【００４０】
【図１】本発明を適用した情報共有システム１の一実施形態の構成を示す図である。
【図２】一実施形態における情報共有支援システム１のクライアント端末とサーバの基本システム構成を示す図である。
【図３】情報共有システムの処理フローを示す図である。
【図４】情報を入力するページの表示例を示す図である。
【図５】メール送信部にて作成されるメール例を示す図である。
【図６】ページＤＢ１０５に格納されたＷｅｂファイルがクライアント端末に表示された図を示す。
【図７】タンクレベル管理システムのサイトのトップページを示す図である。
【図８】タンクのＬＮＧ受入時までの目標到達最低・最大液位や前回の実績の表を示す図である。
【図９】各ページが更新された日時の表を示す図である。
【図１０】グラフが作成された最終実績日から次回受入日までの関係各所の使用可能量の表を示す図である。
【図１１】グラフの数値データを表示するページを示した図である。
【図１２】基地を管理している会社の担当者が有しているタンク内のＬＮＧの液位を日別に表示するページを示す図である。
【図１３】タンクレベルの情報を送信するためのページを示す図である。
【図１４】日別に各社がＬＮＧ気化ガスとして出荷するＬＮＧの見込み出荷量を表示するページを示す図である。
【図１５】各社の気化ガスの見込み出荷量を送信するためのページを示す図である。
【図１６】日別に各社が液化ガスとして出荷するＬＮＧの見込み出荷量を表示するページを示す図である。
【図１７】日別に発電所の炉の発電量および使用燃料量を表示しているページを示す図である。
【図１８】発電量の情報を送信するためのページを示す図である。
【図１９】発電所へガスを供給する低圧系統と高圧系統の２系統によるガスの供給量を日別に表示しているページを示す図である。
【図２０】消費可能量の情報を送信するためのページを示す図である。
【図２１】発電所における発電量から使用燃料を計算する場合等に使用する係数を表示しているページを示す図である。
【図２２】シミュレーションに用いる係数を変更するためのページを示す図である。
【符号の説明】
【００４１】
１００  Ｗｅｂサーバ
１０１  メール送信部
１０２  ページ受信部
１０３  ページ送信部
１０４  認証部
１０５  ページＤＢ
１１０  支援サーバ
１１１  メール受信部
１１２  メール解析部
１１３  データ送信部
１２０  ＤＢサーバ
１２１  ＤＢ更新部
１２２  ページ作成部
１２３  受入支援ＤＢ
【図１】
0005183312.tif 000002
【図２】
0005183312.tif 000003
【図３】
0005183312.tif 000004
【図４】
0005183312.tif 000005
【図５】
0005183312.tif 000006
【図６】
0005183312.tif 000007
【図７】
0005183312.tif 000008
【図８】
0005183312.tif 000009
【図９】
0005183312.tif 000010
【図１０】
0005183312.tif 000011
【図１１】
0005183312.tif 000012
【図１２】
0005183312.tif 000013
【図１３】
0005183312.tif 000014
【図１４】
0005183312.tif 000015
【図１５】
0005183312.tif 000016
【図１６】
0005183312.tif 000017
【図１７】
0005183312.tif 000018
【図１８】
0005183312.tif 000019
【図１９】
0005183312.tif 000020
【図２０】
0005183312.tif 000021
【図２１】
0005183312.tif 000022
【図２２】
0005183312.tif 000023